Podtech/llm-jp-corpus-v4-ja_patent huggingface dataset:
(57)【要約】      （修正有）【課題】差込プラグ電極上やコンセントタップの電極穴付近に粉塵．綿埃等が付着しない事．又コンセントタップと接続プラグ間でスパーク発生時にスパーク火花の外部流出が最小限である事を実現する。【解決手段】コンセントタップ１の差込プラグ装着部を掘り込み式凹形構造にして差込プラグ装着時の金属電極が上方から見えない構造とし．特に上方から降り積もる粉塵．綿埃が電極上に堆積する事が無く長期間に渡って差込プラグ３を装着したままでも電極間スパーク等の危険が無く安心して使用出来る。又．差込プラグを装着していないコンセントタップにても掘り込み部凹型の下側の角を取り去り、傾斜角を最小限とした事によりその部分５への粉塵．綿埃の堆積も無い。さらにコンセントタップを掘り込み式にして接続プラグの電極からの外部空間との隙間を小さくした事により万一スパーク発生してもスパーク火花の外部流出を最小限にする事が出来る。【選択図】図１
2009176698.tif 000002
【特許請求の範囲】
【請求項１】
コンセントタップのプラグ差込部のモールドカバーを従来の表面フラット型カバーではなく．使用プラグの形状に合わせた掘り込み式で壁面取付け時には上方から差込プラグ装着部を見た場合．差込プラグの金属電極付近が露出しない為通電部に粉塵．綿埃等が堆積しない事を特徴した防塵型スパーク発火防止用コンセントタップ。
【請求項２】
前記コンセントタップにては差込プラグ未装着のものは凹部の下側角を除去し傾斜を最小限とした事による粉塵．綿埃等の堆積を防止した事を特徴とした防塵型スパーク発火防止用コンセントタップ。
【請求項３】
前記コンセントタップにては万一．差込プラグ電極部にて短絡スパーク発生してもコンセントタップと差込プラグの間にスパーク火花を閉じ込め．外部への火花の流出を最小限に留める構造を特徴とした防塵型スパーク発火防止用コンセントタップ。
【請求項４】
前記コンセントタップにては使用する差込プラグの形状がコンセントタップのモールドカバーの掘り込み面の形状に一致しなくても．凹面の形状の内に収まるものであれば．壁面取付け使用時に一定の差込プラグ電極上への粉塵．綿埃の堆積を軽減出来る事を特徴とした防塵型スパーク発火防止用コンセントタップ。
【発明の詳細な説明】
【技術分野】
【０００１】  本発明は，コンセントタップ使用時の差込プラグの金属電極の露出におけるスパーク発火事故防止の安全性に関する。
【背景技術】
【０００２】  従来，家庭．その他で使用されているコンセントタップにおいてはコンセントタップカバーのモールドの表面がフラット構造のものであり．特にこれを壁面に取付けて使用する場合はコンセントタップと差込プラグの隙間から粉塵．綿埃等が差し込みプラグの電極上へ直接堆積しスパーク発火火災の原因となっているが．この事の対策としての製品は見当たらない。【０００３】  現状，家庭の冷蔵庫．洗濯機．テレビ等大型電化製品の差込プラグは当該電気機器の裏側壁面のコンセントタップ等に何年間も接続されたままで忘れ去られ．粉塵まみれとなっている事が多く．何時スパーク火災が起きても不思議では無い状態にある。【０００４】  なお，本願発明に関する公知技術として次の特許文献１〜２を挙げることができる。【０００５】
【特許文献１】  特開２０００−０１２１５０号公報
【特許文献２】  特開２００１−３１９７２９号公報
【発明の開示】
【発明が解決しようとする課題】
【０００６】  上述の如く，従来のコンセントタップは安全性を度外視し．外見上の美観．使い易さのみを重視したものであり．何時も目の行き届く手元で使用するならいざ知らず．目の行き届かない大型家具．家電製品の裏の壁面．物陰等で長期間コンセントタップに差込プラグを接続しっぱなしとする場合の安全性の確保は難しい。【０００７】  このため，現状では一部の不安を感じる人々が時々．コンセントタップから差込プラグを引き抜いて粉塵．綿埃等を清掃して再度接続することで不便を感じながらも我慢しているのが実態である。【０００８】  本発明は，このような点に鑑みて成されたものであり，その目的は．コンセントタップ（特に壁面取付けの物）に長期間に渡って差込プラグを接続しっぱなしにしても．差込プラグの金属電極に粉塵．綿埃が付着せず．又．差込プラグ未装着の場合でもコンセントタップ掘り込み凹部の下部の角を除去して傾斜を最小限にしている為．その部分への粉塵堆積は発生せず．万一差し込みプラグ電極間でスパークが発生してもコンセントタップと差込プラグの間にスパーク火花を閉じ込めて外部への流出を最小限とする事により．スパーク火災に対する安全性の向上をはかる事が出来る様にする事にある。
【課題を解決するための手段】
【０００９】  上述の目的を達成する本発明の構造は．コンセントタップのカバーの差込プラグ用の電極穴の部分の回りを差込プラグの形状に合わせた掘り込み式凹面構造としたことを特徴とする。【００１０】  コンセントタップに差込プラグ取付け時は特に壁面にコンセントタップを取付けて使用する場合においては上空から下を目視してもコンセントタップと差込プラグの間の隙間は見渡せず．差込プラグの金属電極も見えない構造となっている。
【発明の効果】
【００１１】  以上説明したように本発明によれば，コンセントタップに差込プラグを取付けた場合．特にコンセントタップの壁面取付けの場合でも長期間の保守点検無しの状態にても従来品に比較して安心して使用出来る為．今までと比較して安全性に大幅な向上が期待出来る。【００１２】  以下，本発明の実施の形態を図面に基づき詳細に説明する。【００１３】  図１〜図２の本発明の第一の実施の形態に係り，図１はその側面よりの断面図，図２はそれを壁面へ取り付けて使用時の図である。【００１４】  図１の様に．コンセントタップ１の断面の構造は．コンセントタップ表面モールドカバー２の接続プラグ３差込部を掘り込み式凹面４構造とし．壁面取り付けにて使用時における凹面の下部５の角を除去し最小限の傾斜としたものとなっている。【００１５】  図２に示すように．コンセントタップを壁面に取り付けて使用時はコンセントタップの接続プラグ差込部の掘り込み凹面の角の有る方を上にして取り付けて使用する。
【産業上の利用可能性】
【００１６】  本発明は家庭用等の特に壁面取り付け用のコンセントタップとして幅広く利用されることを目的として，製造，販売される可能性がある。
【図面の簡単な説明】
【００１７】
【図１】本発明の第一の実施の形態に係る壁面取り付け時における断面図である。
【図２】図１のコンセントタップを壁面取り付け時において実際使用時の外観図です。
【符号の説明】
【００１９】１            コンセントタップ
２            モールドカバー
３            接続プラグ
４            掘り込み式凹面
５            掘り込み式凹面の角を除去した傾斜部
【図１】
2009176698.tif 000003
【図２】
2009176698.tif 000004
(57)【要約】      （修正有）【課題】従来の防水コネクタはＯリング等の密封性を高める部品を用いている為、製作工程でその部品を取り付ける必要がある。【解決手段】ホットメルダーで防水コネクタを製造する時、ホットメルト用ポリエステル２でコネクタ部３とＯリング部１を一体成形する。或はホットメルダーで防水コネクタを製造する時、一般市販のＯリング１をホットメルト用ポリエステル２でインモールドし、コネクタ部３とＯリングを一体化することで、密封性の向上と製作工程を短縮した防水コネクタの製作が出来る。【選択図】図１
2009176694.tif 000002
【特許請求の範囲】
【請求項１】
ホットメルダーによる、Ｏリングとコネクタ部をホットメルト用ポリエステルで一体化した防水コネクタの製作
【請求項２】
ホットメルダーによる、Ｏリングをホットメルト用ポリエステルでインモールドした一体成形型の防水コネクタの製作
【発明の詳細な説明】
【技術分野】
【０００１】この発明はホットメルダーによるＯリング一体化の成形、Ｏングのインモールド成形の防水コネクタ製作方法に関するものである。
【背景技術】
【０００２】従来の防水コネクタは、隙間からの流体の進入を防ぐのにＯリングを用いている。その為、製作時にＯリング取り付けの工程が発生する。【０００３】
【特許文献１】特開２００５−１７７７２８号公報
【発明の開示】
【発明が解決しようとする課題】
【０００４】本発明者は、Ｏリングをホットメルト用ポリエステルで製造することで、コネクタ部と一体化した防水コネクタを製造することを課題とした。
また、一般のＯリングをインモールドした防水コネクタを一体成形で製造することを課題とした。
【課題を解決するための手段】
【０００５】ホットメルダーで防水コネクタを製造する時、ホットメルト用ポリエステル２［図１］でコネクタ部３［図１］とＯリング部１［図１］を一体成形する。【０００６】ホットメルダーで防水コネクタを製造する時、一般市販のＯリング１［図２］をホットメルト用ポリエステル２［図２］でインモールドし、コネクタ部３［図２］として一体成形する。
【発明の効果】
【０００７】従来の防水コネクタは隙間からの流体の進入を防ぐのにＯリングを取り付けその密封性を高めていた。
本発明者が開発したホットメルダーは、そのＯリングをコネクタ部とホットメルト用ポリエステルで一体化した防水コネクタの成形製作が可能である。また一般市販のＯリングをインモールドし一体成形することも可能である為、製品化に成功した。
Ｏリングの一体成形で防水コネクタを製作することは、密封性の向上と製作工程を短縮することができる。
【図面の簡単な説明】
【０００８】
【図１】この発明の一実施形態を示す断面図である。
【図２】この発明の一実施形態を示す断面図である。
【符号の説明】
【０００９】［図１］
１  Ｏリング部
２  ホットメルト用ポリエステル
３  コネクタ部
［図２］
１  一般市販Ｏリング
２  ホットメルト用ポリエステル
３  コネクタ部
【図１】
2009176694.tif 000003
【図２】
2009176694.tif 000004
(57)【要約】【課題】本発明は、簡単な構造で、バイメタルと可撓銅線との溶接位置を限定し、過電流引き外しの作用時間を一定にすることを目的としている。【解決手段】本発明に係る回路遮断器の過電流引き外し素子では、バイメタル８の温度上昇値によって湾曲の度合いが変化して、過電流引き外しの作用時間にばらつきが出てしまうのを防ぐために、過電流引き外し素子９に、可撓銅線７との接続位置を示すゲージ１２を設け、バイメタルと可撓銅線との溶接位置を限定したことを特徴とする。【選択図】図１
2009176554.tif 000002
【特許請求の範囲】
【請求項１】
電気回路内で過電流が発生した場合に前記電気回路を遮断する機能を有する回路遮断器における、熱膨張率の異なる金属を貼り合わせて成る過電流引き外し素子であって、該過電流引き外し素子に、可撓銅線との接続位置を示すゲージを設けたことを特徴とする回路遮断器の過電流引き外し素子。
【発明の詳細な説明】
【技術分野】
【０００１】
本発明は、電気回路内で過電流が発生した場合に電気回路を遮断する機能を有する回路遮断器における、熱膨張率の異なる金属を貼り合わせて成る過電流引き外し素子に関するものである。
【背景技術】
【０００２】
回路遮断器の過電流引き外し装置は、バイメタルで構成された過電流引き外し素子が、回路遮断器内を流れる電流が発する熱により湾曲し、その力が回路遮断器のハンドルユニットに掛合している掛合片に作用し、回路が切断されるというものである。バイメタルへ電流を流すために、可撓銅線がバイメタルにスポット溶接される。
【０００３】
バイメタルは熱膨張率の異なる二つの金属を貼り合わせて成り、回路遮断器内を流れる電流が発する熱により、一定方向へ湾曲する性質を持つ。バイメタルの、可撓銅線とのスポット溶接部と、端子座へとつながる接続体との接続部との間を流れる電流との抵抗の度合いにより、バイメタルが湾曲することになる。バイメタルの、可撓銅線とのスポット溶接部と、端子座へとつながる接続体との接続部との間の距離は電路長と呼ばれ、この電路長により、バイメタルの抵抗の度合いが変わってくる。
【特許文献１】特開２００１−８４８８５号公報
【発明の開示】
【発明が解決しようとする課題】
【０００４】
可撓銅線は、都度、採寸したり、製造工程中に別にあつらえたゲージを利用して、バイメタルへの溶接位置を決定していた。そのため、その溶接作業のための計測に時間がかかるという欠点があった。また、可撓銅線のバイメタルへの溶接位置を統一することが難しく、電路長にばらつきがあることで、バイメタルの湾曲角度が異なってしまい、バイメタルが掛合片へ作用するまでの動作時間にばらつきがでるという欠点があった。
【課題を解決するための手段】
【０００５】
そこで本発明は、簡単な構造で、バイメタルと可撓銅線との溶接位置を限定し、過電流引き外しの作用時間を一定にすることを目的とし、その構造は、過電流引き外し素子に、可撓銅線との接続位置を示すゲージを設けたことを特徴とする。
【発明の効果】
【０００６】
本発明に係る回路遮断器の過電流引き外し素子は、過電流引き外し素子に、可撓銅線との接続位置を示すゲージを設けたため、簡単に可撓銅線をバイメタルに溶接する位置を決定でき、作業時間が短縮できる。可撓銅線を特定の位置に溶接できるようになり、バイメタルの湾曲位置も限定でき、バイメタルが掛合片を動作させる動作時間も一定にできるため、過電流引き外しの動作時間も一定となる。また、製品の検査の際には、目視により、良品、不良品の判定が行えるようになり、検査時間の短縮も図ることができる。
【発明を実施するための最良の形態】
【０００７】
本発明に係る回路遮断器の引き外し素子の実施例を図１〜図６の添付図面に基いて説明する。図１は、ねじ端子の回路遮断器の、図２には速結端子の回路遮断器の断面図を示す。
【０００８】
回路遮断器１では、電流は、電源側端子２、固定接触子３、可動接触子４、過電流引き外し装置５を経て負荷側端子６へと流れている。過電流引き外し装置５は、電流の経路中に、可撓銅線７をバイメタル８で構成された過電流引き外し素子９に接続している。図１では、引き外し素子９は、負荷側端子６へとつながる接続体１０に溶接され支持されている。図２では、接続体１０は、負荷側端子６の負荷座６ａと一体に形成されている。電流により発生した熱は、バイメタル８を湾曲させ、バイメタル８の先端が、回路遮断器１のハンドルユニット１１をオンの状態で掛合している掛合片１２に当たり、掛合が解除されることで回路遮断器１がオフとなって回路が遮断されるという仕組みである。
【０００９】
バイメタル８は、接続体１０との接続部Ａと、可撓銅線７との接続部Ｂとの間の距離である電路長での抵抗により温度上昇値が変わり、この温度によって、湾曲角度が異なってくるので、可銅線７のスポット溶接される位置のばらつきは、バイメタル８が掛合片１２に作用する時間のばらつきとなることがあった。可撓銅線７はバイメタル８の限定した位置に溶接することで、一定時間に動作するようにしたい。そこで、バイメタル８には可撓銅線７の接続位置を示すゲージ１３を設ける。例えば図３に示すように、可撓銅線７の接続位置の許容範囲を二本の線１３，１３で示す。図４に示すように二本の線１３，１３間で可撓銅線７をバイメタル８にスポット溶接すると、許容される位置となる。一方図５と図６とに示すように二本の線１３，１３の外側に可撓銅線７をスポット溶接することは許容されない。
【００１０】
接続作業時に都度採寸したりする手間は省け、簡単に可撓銅線７のバイメタル８へのスポット溶接作業が行える。また、製品の検査の際にも、目視によって、可撓銅線７のバイメタル８への溶接位置が適切かどうか判断できるので、検査の手間も大きく省くことができる。
【００１１】
ゲージについては、図４に示す線をゲージとするものと限定せず、刻印であったり、穴加工を施したりして溶接位置を示すこともできる。
【図面の簡単な説明】
【００１２】
【図１】ねじ端子の回路遮断器の断面図である。
【図２】速結端子の回路遮断器の断面図である。
【図３】バイメタルの拡大斜視図である。
【図４】図３におけるバイメタルに可撓銅線を正しく溶接した状態を示す説明図である。
【図５】図３におけるバイメタルの許容されない位置に可撓銅線を溶接した状態を示す説明図である。
【図６】図３におけるバイメタルの許容されない位置に可撓銅線を溶接した状態を示す説明図である。
【符号の説明】
【００１３】
１    回路遮断器
２    電源側端子
３    固定接触子
４    可動接触子
５    過電流引き外し装置
６    負荷側端子
６ａ  負荷座
７    可撓銅線
８    バイメタル
９    過電流引き外し素子
１０  接続体
１１  ハンドルユニット
１２  掛合片
１３  ゲージ
【図１】
2009176554.tif 000003
【図２】
2009176554.tif 000004
【図３】
2009176554.tif 000005
【図４】
2009176554.tif 000006
【図５】
2009176554.tif 000007
【図６】
2009176554.tif 000008
(57)【要約】【課題】    懸賞付き商品を購入したユーザ自身が当選したか否かを知るのにインターネットの当該サイト等にアクセスしなければならない、或いは当選の発表による確認、連絡する等の手間隙がかかる。【解決手段】    購入したデジタル機器（デジタルカメラ、プリンタ、デジタルビデオ等）において、確率的に当選が発生する当選システムが内蔵され、商品を使用開始すると当選した旨の表示される。更にオンラインで当選した景品を入手できるような懸賞品システムを利用したビジネスモデルを提供する。【選択図】  図１
2009157473.tif 000002
【特許請求の範囲】
【請求項１】
デジタル機器（デジタルカメラ、プリンタ、デジタルビデオ等）に確率的に当選が発生する当選システムが内蔵され、
購入者が使用している内に、前記デジタル機器上で当選したことを告知する機能を有し、
前記当選による懸賞品は、オンラインで入手できることを特徴とする懸賞品システムを利用したビジネスモデル。
【発明の詳細な説明】
【技術分野】
【０００１】
本発明はデジタル機器商品の販売推進する為のビジネスモデルに関する。
【背景技術】
【０００２】
従来、購買に対する懸賞品抽選は、「応募」、「福引き」とアナログ式で手間と時間がかかるため、なかなか商品購買意欲に繋がらないのが現状である。また、せっかく当選したにも係わらず懸賞交換時期を逃してしまいフイにしてしまう事も多々ある。これら原因から、アナログ式の懸賞品抽選は、購買意欲をアップさせる方法と言い切れないことが課題である。
【発明の開示】
【発明が解決しようとする課題】
【０００３】
販売促進を目的として、抽選番号シール／カードを管理するＷｅｂサーバを有する抽選管理装置と、そのシール／カードをインターネットを介して抽選管理装置から購入するシール／カード供給事業者端末機と、そのシール／カードの抽選番号により、インターネットを介して抽選管理装置に応募する消費者端末機とからなるシステムを構成するものが提案されている。
（特許文献１）
又、商品毎に個別にＩＤナンバーを付しこれを読取り検知することで当該商品が販売されたことを検知し、この販売情報を蓄積記憶し、当選商品を抽出、発表し、連絡してきた顧客が確かにその商品の真の購入者であることの確認して当選者確定、景品発送するものもある。
（特許文献２）
しかし、上記何れの方法によっても商品を購入したユーザ自身がインターネットの当該サイト等にアクセスしなければならない、或いは当選の発表による確認、連絡する等の手間隙がかかる。
【０００４】
【特許文献１】特開２００１−３０６７４８
【特許文献２】特開２００２−３１２６５６
【課題を解決するための手段】
【０００５】
上記課題を解決することを目的として本発明は為された。
【０００６】
本発明によるビジネスモデルは、
デジタル機器（デジタルカメラ、プリンタ、デジタルビデオ等）に確率的に当選が発生する当選システムが内蔵され、
購入者が使用している内に、前記デジタル機器上で当選したことを告知する機能を有し、
前記当選による懸賞品は、オンラインで入手できることを特徴とする。
【発明の効果】
【０００７】
購入者は、今手にしているデジタル機器商品そのものが抽選機であり、且つ抽選会場に他ならないので、わざわざ抽選場所まで行く必要がなく、「抽選をしている」という意識もない（サプライズ）。
【０００８】
「商品を買えば手軽に付加価値イベント（懸賞品抽選）に参加できる」という事から購買意欲の向上に繋がる。さらに、このビジネスモデルを広告等に使うことで商品を使用する機会が増えるため、使用する意欲が活性化する。
【発明を実施するための最良の形態】
【０００９】
本発明を実施するための最良の形態について、以下に図を用いて説明する。
【実施例】
【００１０】
図１は当ビジネスモデルの概要を示す。
デジタル機器メーカにて福引モジュールを入れたデジタル商品をユーザが購入する。
ユーザは福引と同じ感覚でシャッタ（デジカメの場合）を切る。
デジタル機器内に搭載されているモニタに確率的に当選が発生する。
当選画面はデジタルデータとなっているので、その画像をインターネットに繋がっているパソコンに送る。
-1  インターネットを利用して当選画像をデジタル機器メーカに送る。
-2  本人確認をして懸賞をインターネットで当選ユーザに送る。
【００１１】
図２を参照して、当ビジネスモデルのワークフローを説明する。
抽選福引ソフトが搭載されたデジカメを購入したユーザは、福引き抽選と同じ要領でシャッタを押し、当選した場合は被写体とは違う特別な画像がデジタルカメラのモニタに現れる。
【００１２】
その当選画像を記憶媒体に保存した後、インターネットで機器メーカへ送る事で景品が入手できる仕組みになっている。
【００１３】
図３は、本発明を適用したデジタルカメラ３００の概略構成を示すブロック図であり、ＣＰＵ３０１はデジタルカメラ３００全体の制御を掌る。ＲＯＭ３０２には制御プログラムが内蔵され、本発明に関わる当選システムのプログラムも含む。撮像部３０６のシャッタ（不図示）が押され、当選システムによる当選情報が発生すると、画像処理部３０７にはモード選択部３０５から割り込み要求が発生し、通常の被写体とは違う特別な画像がＲＯＭ３０２から読み出され、画像メモリ３０８に記憶されると同時に表示制御部（ＬＣＤＣ）３０９を介してＬＣＤ３１０に当選の画像が表示される。
【００１４】
ＵＳＢコントローラ３１１は不図示のホストＰＣへの通常の画像、及び本発明に関わる当選画像を画像メモリ３０８から画像処理部３０７を介してＣＰＵ３０１が読み出し、転送する。
【００１５】
ＣＰＵ３０１は作業用メモリとしてＲＡＭ３０３も使用する。又、本発明に関わる当選情報の一部を不揮発性のＥＥＰＲＯＭ３０４に記憶させることもある。
【００１６】
特に画像メモリ３０８が着脱可能な記憶媒体である場合には、当選に関わる特別な画像もＥＥＰＲＯＭ３０４に記憶させることになる。
【産業上の利用可能性】
【００１７】
本発明のビジネスモデルは主としてデジタル機器の販売促進、使用意欲の活性化を推進するビジネスに利用可能である。
【図面の簡単な説明】
【００１８】
【図１】本発明を実施したビジネスモデルの概要を示す図である。
【図２】本発明を実施したワークフローを示す図である。
【図３】本発明を実施したデジタルカメラのブロック図である。
【符号の説明】
【００１９】
３０１  ＣＰＵ
３０２  ＲＯＭ
３０４  ＥＥＰＲＯＭ
３０８  画像メモリ
【図１】
2009157473.tif 000003
【図２】
2009157473.tif 000004
【図３】
2009157473.tif 000005
(57)【要約】【課題】警備員巡回スタッフの信頼性、及び監視効率の向上をはかるシステムにおいて、簡素で安価なシステムを提供する。【解決手段】警備元と巡回場所とデータを蓄積するためのデータベースサーバーホスト名が蓄積されたＩＣタグをＩＣタグリーダーと携帯電話もしくはＩＣタグリーダー内蔵の携帯電話をかざして読み取り、遠隔地にあるデータベースサーバーにインターネットを使用して転送し、警備及び派遣会社、依頼元の双方にて状況を監視することができる。さらに、データについては第三者の管理するデータベースサーバーに蓄積するため、改竄の恐れは無く、データベースサーバー管理会社から証明することにより信頼性の向上が実現できる。【選択図】図１
2009157893.tif 000002
【特許請求の範囲】
【請求項１】
ＩＣタグリーダーと携帯電話もしくはＩＣタグリーダー内蔵の携帯電話を接続し、巡回場所もしくは派遣場所にあるＩＣタグを読み取り、読み取ったデータを遠隔地にあるデータベースサーバーにインターネットを使用して転送し、現場の状況を監視する管理システム。
【請求項２】
警備及び派遣会社及び依頼元以外の第三者がデータを管理、証明する請求項１記載の管理システム。
【発明の詳細な説明】
【技術分野】
【０００１】  本発明は、携帯電話とＩＣタグを用いた警備員巡回及び派遣スタッフ勤怠管理システムに関する。
【背景技術】
【０００２】  従来の巡回警備システムでは、無線通信による無線タグへの電波の送信及び該無線タグからの受信により該無線タグの蓄積情報を読み取る無線タグリーダーで構成された巡回警備システムがある。【０００３】
【特許文献】  特開２００７−５８２６３
【発明の開示】
【発明が解決しようとする課題】
【０００４】    本発明が解決しようとする課題は、警備員巡回及び派遣スタッフの信頼性及び監視効率の向上をはかることにより、簡素で安価な管理システムを提供することを目的とする。
【課題を解決するための手段】
【０００５】  上記の課題を解決するために、本発明は、ＩＣタグリーダーと携帯電話を接続もしくはＩＣタグリーダー内蔵の携帯電話を使用し、巡回場所もしくは派遣場所にあるＩＣタグを読み取り、読み取ったデータを遠隔地にあるデータベースサーバーにインターネットを使用して転送し、警備及び派遣会社、依頼元の双方にて状況を監視する。
また、データについては第三者の管理するデータベースサーバー管理会社から証明することにより信頼性の向上をはかる。
【発明の効果】
【０００６】（１）微弱電波を使用するＩＣタグリーダーを使用することにより無線基地局の開局を行う必要がない。
（２）インターネット回線を使用してのデータ転送となるので無線ＬＡＮ、構内ＰＨＳ等の必要がない。
（３）リーダーとは別に近接無線タグを起動する認証用ＩＤカードを持つ必要がない。
（４）ＩＣタグリーダーに携帯電話を接続する簡易ＩＣタグリーダーもしくは携帯電話内蔵のタグリーダーを使用することにより、既存インフラを十分活用し設備投資を軽減できる。
（５）ＩＣタグにデータ蓄積場所に蓄積させることにより、このシステムをそのままいろいろな企業にすぐに適用させることができる。
（６）使用者にデータサーバー書き込みプログラムのアドレス等を分らないようにさせるため、結果の表示にはＩＣタグ内のアドレスからリダイレクトし別プログラムにて結果を通知することができる。
【発明を実施するための最良の形態】
【０００７】  本発明を実施するための最良の形態を実施例に基づいて説明する。
（１）図１は本発明によるシステムの例として巡回警備システムの全体構成図であり、図２は本発明による警備員巡回時のビジネスフローチャートである。本発明はこれに限らず、派遣スタッフの勤怠管理や塾生の所在確認等、広く適用可能である。
（２）図１の１は本発明で使用するＩＣタグリーダーと携帯電話もしくはＩＣタグリーダー内蔵の携帯電話、２はＩＣタグである。３は巡回データ蓄積用のデータベースサーバーである。
（３）ＩＣタグ２にはインターネットを経由してデータを蓄積するためのホスト名、警備依頼元、巡回場所のデータがあらかじめ登録されており、ＩＣタグにはＩＣタグリーダー１をかざして読み込ませ、同時に巡回データ蓄積用のデータベースサーバーにインターネットを経由してデータを転送する。
（４）ＩＣタグ２の情報、特にデータベースサーバー、書き込みプログラム名は携帯電話に表示しないよう、書き込み後はリダイレクトさせ、別プログラムにて書き込み結果を表示する。これにより書き込みプログラムを特定することは困難となり不正、改竄の恐れがないようにする。
（５）警備会社、警備依頼元は何時に何所を巡回しているのか巡回データ蓄積用のデータベースサーバーにインターネット経由で容易に把握することができるようにする。
（６）第三者となる巡回データ蓄積用のデータベースサーバーを管理する会社から巡回データの証明書を発行することによりデータの信頼性を保証することを可能にする。
【図面の簡単な説明】
【０００８】
【図１】本発明による巡回警備システムの全体構成図である。
【図２】本発明による警備員巡回時のビジネスフローチャートである。
【符号の説明】
【０００９】    １    携帯電話＋ＩＣタグリーダーもしくはＩＣタグリーダー内蔵携帯電話
２    ＩＣタグ
３    データベースサーバー
【図１】
2009157893.tif 000003
【図２】
2009157893.tif 000004
(57)【要約】【課題】  使用された言語では内容の理解が困難で、翻訳が必要とされる文書を簡便かつ短時間で内容を理解できないという問題点を解決すること。【解決手段】  本翻訳システムを利用する為のＱＲコードを翻訳が必要とされる文書に添付する。そのＱＲコードを利用しインターネットに接続する。最初の言語選択ページにて複数の選択可能な言語から精通した言語を選択する。言語選択後は自動的に翻訳された文書のページに移行し、精通した言語によって翻訳された文書の情報を、書面もしくは音声にて入手する。その結果、文書の内容を簡便かつ短時間に理解することが可能になり、本課題は解決される。【特許請求の範囲】
【請求項１】
使用されている言語では内容の理解が困難な文書に対し、その文書に添付したＱＲコードを利用することによって、インターネット上において、翻訳された文書の情報を書面で入手するシステム。
【請求項２】
使用されている言語では内容の理解が困難な文書に対し、その文書に添付したＱＲコードを利用することによって、インターネット上において、翻訳された文書の情報を音声で入手するシステム。
【請求項３】
使用されている言語では内容の理解が困難な文書に対し、その文書に添付された  ＱＲコードを利用しインターネット上において、翻訳された文書の情報を書面もしくは音声で入手するにあたり、インターネットに接続後の最初のページにて翻訳する言語を選択し、選択後は自動的に翻訳された文書の書面もしくは音声の情報提供ページへと移行するシステム。
【発明の詳細な説明】
【技術分野】
【０００１】  本発明は、翻訳に関するものであり、ＱＲコードを利用する事によって、簡便かつ短時間に翻訳された文書の情報を、インターネット上において書面もしくは音声にて入手することが可能なシステムである。
【技術背景】
【０００２】  従来からＱＲコードは利用されてきている。限られたスペースがあれば、書面に添付されたＱＲコードを利用することで、更に多くの情報を入手することが可能である。
また、ＱＲコードを用いた単語、語彙の辞書機能は特許文献１に開示されているものがある。
【特許文献１】  特開２００６−３１８１１４号公報
【発明の開示】
【発明が解決しようとする課題】
【０００３】  しかし従来のＱＲコードを用いたシステムでは、翻訳が必要な文書を理解することは多くの時間を要し不便である。また読み書きができない場合には、翻訳された文書のみでは内容が理解できない。本発明は、翻訳された文書の情報を書面もしくは音声にてインターネット上において入手することにより、翻訳が必要な文書を簡便かつ短時間に理解できないという問題を解決することを課題とする。
【課題を解決するための手段】
【０００４】  この課題を解決するための請求項１の発明は、ＱＲコードを利用する事で、インターネット上において翻訳が必要な文書の情報を書面にて入手し、簡便かつ短時間で内容を理解できる。【０００５】  また請求項２の発明は、読み書きができない場合に対し、ＱＲコードを利用する事で、インターネット上において翻訳が必要な文書の情報を音声にて入手し、簡便かつ短時間で内容を理解できる。【０００６】  また請求項３の発明は、翻訳される文書の言語を選択可能にすることで、翻訳が必要な文書の情報を、精通した言語で書面もしくは音声をインターネット上において入手し、簡便かつ短時間で内容を理解できる。
【発明を実施するための最良の形態】
【０００７】  翻訳が必要と考えられる文書に本翻訳システムを利用するためのＱＲコードを添付する。
【産業上の利用可能性】
【０００８】  本発明に係わる翻訳システムはＩＴ産業的に構築する事が可能であるため、産業上の利用可能性を有する。
(57)【要約】【課題】この発明は、空調機器接続気密テストにおいて、全てをフレアー接続する事により加圧装置接続部からの漏れる確率を最小限に抑えた接続装置に関するものである。【解決手段】  １／４銅管と５／１６銅管を接合又は一体加工しそれぞれにフレアーナットをつけフレアー加工し、５／１６フレアー部にはムシ押しをつけて空調機本体チェックジョイントに接続し、それに汎用品である１／４規格のフレアー圧力計やフレアーティコネクターを接続し窒素加圧する気密テスト用接続装置である。【選択図】図１
2009186002.tif 000002
【特許請求の範囲】
【請求項１】
１／４銅管と５／１６銅管を接合又は一体加工し、それぞれにフレアーナットをつけフレアー加工し、５／１６フレアー部にはムシ押しをつけた空調機気密テスト用接続装置。
【発明の詳細な説明】
【発明の詳細な説明】
この発明は、１／４銅管と５／１６銅管を接合又は一体加工し、それぞれにフレアーナットをつけフレアー加工をし、５／１６フレアー部にはムシ押しをつけた空調機気密テスト用接続装置である。
従来の様にゴムパッキンを使用したチャージホースやコントロールバルブを機器チェックジョイントや圧力計との接続に使用するのは、テスト圧力が３．３Ｍｐａ〜４．１５Ｍｐａと高い為、各接続部や製品構造内部パッキンから漏れやすく、配線等の作業で少し接触しただけでも漏れが発生し、確実な気密テストがむずかしかった。
本発明は、その欠点を除くために空調機チェックジョイントに５／１６ムシ押付フレアーナットを接続し汎用品の１／４フレアー圧力計やフレアーティコネクターを全てゴムパッキンを使用しないフレアー接続できる構造であるから、接触や温度変化による収縮などの漏れを最小限に抑える事ができる。
現在の空調機のチェックジョイントは５／１６であるが、今後の規格の変更サイズに合わせ機器接続用ムシ押付フレアーナットと汎用品である１／４規格のフレアーナットを銅管で接続したものが本発明である。
【図面の簡単な説明】
【図１】  本発明の正面図
【図２】  本発明の平面図
【図３】  本発明の底面図
【図４】  本発明の断面図
【符号の説明】
１は１／４フレアーナット      ２は１／４銅管        ３は５／１６銅管
４は５／１６フレアーナット    ５は１／４フレアー    ６は５／１６フレアー
７はムシ押し
【図１】
2009186002.tif 000003
【図２】
2009186002.tif 000004
【図３】
2009186002.tif 000005
【図４】
2009186002.tif 000006
(57)【要約】      （修正有）【課題】これまでのデジタル表示の計算機にない、幼児や低学年児童の興味をそそる、触る見る聞くの五感に訴える幼児、児童用の足し算、引き算、掛け算の練習ができる計算機器。【解決手段】幼児や低学年の児童が自分の手で、足し算、引き算、掛け算をチャンネル式スイッチを操作してランプの点灯の量として視覚で捉え、また掛け算は九九を音声で知らせる。更にコンパクトにカラフルにしかも少々倒したり荒っぽく扱っても壊れない丈夫のものに仕上げ、幼児や低学年のこどもが喜んでこの計算に取り組めるようにする。【選択図】図１
2009186949.tif 000002
【特許請求の範囲】
【請求項１】
本考案は、ランプの点滅で、１００までの数のたし算・ひき算・かけ算ができる機器です。
【請求項２】
掛け算は九九の音声でしらせてくれます。
【発明の詳細な説明】
2009186949.tif 000003
2009186949.tif 000004
【手続補正書】
【提出日】平成20年4月1日(2008.4.1)
【手続補正１】
【補正対象書類名】明細書
【補正対象項目名】全文
【補正方法】変更
【補正の内容】
【発明の詳細な説明】
【技術分野】
【０００１】  本発明は１００までのランプの点滅と音声で知らせる機器に関する。
【技術背景】
【０００２】  従来の家庭用の計算機は、デジタル表示をしますが、×、＋、−のスイッチを押して、デジタル表示をしますが、数字だけの味気ないものでした。それに比べて本機器は、レトロなものですが、かけ算のときは自分でチャンネルスイッチを操作し、たし算・ひき算のときは、ボタンスイッチを操作するため、手の触感と画面の点滅を量として視覚で捉え、しかも、音声が入るため、聴覚にも刺激するため、幼児や低学年の児童の興味をそそる機器です。
【０００３】  従来のデジタル表示の計算機に比べての本機器の利点は、以下、図により説明する。
図１は、全体正面図です。ランプ（発光ダイオード電球）が１００個ついています。幼児や低学年の児童には視覚としてこれぐらいの量が最大限です。
図２のチャンネルスイッチは、かけ算のためのスイッチです。０〜９まで動かせます。通常かけ算をしていないときは、０のＯＦＦにしておきます。
また、チャンネルスイッチは、一の段から九の段まであります。幼児や低学年の児童は、自分でチャンネルスイッチを動かします。３×５の場合、３の段のチャンネルスイッチを５のところに動かします。すると、１〜１５までのランプが点燈します。量として視覚に訴えます。しかも音声でもサンゴジュウゴと知らせてくれます。聴覚にも訴えてくれます。
図３のボタンスイッチは、たし算・ひき算のためのスイッチです。
５＋３の場合、１〜５のランプの下にあるスイッチを押し点燈させ、それの続きに３個のランプを押すと、８個のランプが点燈します。
９−５の場合は、１〜９のスイッチを押して点燈させ、９から順に５つ消していくと、１〜４のランプが残って点燈しています。
【発明の開示】
【発明が解決しようとする課題】
【０００４】  本発明機器は、これまでのデジタル表示の計算機にはない、幼児や低学年児童の興味をそそる、触る見る聞くの五感に訴える計算機器を目的とする。
また、この機器を拡大すると教師用の師範用機器にも利用できるものです。
【課題を解決するための手段】
【０００５】  本発明機器は、図１にもあるように、１００個ものランプを点燈するため、発光ダイオードの電球を利用することにより、電力の消費を抑える。
また、図２のチャンネルスイッチは、幼児や低学年の児童にも手頃に扱えるものにするため，直径２〜３ｃｍ小型のものを使用する。
また、図３のボタンスイッチは左右に押さえるだけで，点灯したり、消燈したりするため、直径１〜２ｃｍの小型のものを使用する。
これらの小型のランプ・チャンネル式スイッチ・ボタンスイッチにより、幼児・低学年の児童が、机上にて自ら操作しやすい大きさのものにする。
【発明の効果】
【０００６】  本発明機器は幼児や低学年の児童が手軽に、おもちゃ感覚で楽しく操作出来る計算機器なので、量産化すれば低価格の教育機器になります。
また、この本発明機器は、大型化すれば即教師用師範計算機として幼児や低学年児童の教育用機器となります
【発明を実施するための最良の形態】
【０００７】  図１の正面全体図は、□（四角）だが、もう少し流線型のカラフルな色調のものを使用すると幼児や低学年の児童に受け入れやすい。
また、この教育用機器は用紙のＡ４サイズぐらいのものが手頃である。
【図面の簡単な説明】
【０００８】
【図１】本発明機器の正面から見た全体図です。
【図２】全体図のなかのチャンネル式スイッチの拡大図です。
【図３】全体図のなかのボタンスイッチの拡大図です
【手続補正２】
【補正対象書類名】図面
【補正対象項目名】全図
【補正方法】変更
【補正の内容】
【図１】
2009186949.tif 000005
【図２】
2009186949.tif 000006
【図３】
2009186949.tif 000007
【手続補正３】
【補正対象書類名】特許請求の範囲
【補正対象項目名】全文
【補正方法】変更
【補正の内容】
【特許請求の範囲】
【請求項１】
本考案は、ランプの点滅で、１００までの数のたし算・ひき算・かけ算ができる教育用機器。
【請求項２】
この教育用機器は、たし算・ひき算・かけ算の計算の様子を音声でも知らせてくれる。
(57)【要約】【課題】  フィギュア用ディスプレー本体に様々なパーツ（６、７、８、９）を組み合わせられるように、ディスプレー本体にジョイント（１、２）を設けたデコレーションディスプレーを提供する。【解決手段】  フィギュア用ディスプレー本体に様々な形のデコレーションパーツ（６、７、８、９）を取り付けるためのデコレーションパーツ用ジョイント（２）を設けたデコレーションディスプレーを特徴とする。【選択図】図５
2009186951.tif 000002
【特許請求の範囲】
フィギュア用ディスプレー本体に様々な形のデコレーションパーツ（６、７、８、９）を取り付けるためのデコレーションパーツ用ジョイント（２）を設けたデコレーションディスプレーである。
【発明の詳細な説明】
【技術分野】
【０００１】  本発明は、フィギュア用ディスプレー本体に様々な形のデコレーションパーツを取り付けるためのデコレーションパーツ用ジョイントを設けたデコレーションディスプレーに関するものである。
【背景技術】
【０００２】  従来、フィギュア用ディスプレーはフィギュアを保持する機能のみとなっていた。
【発明の開示】
【発明が解決しようとする課題】
【０００３】  これは、次のような欠点があった。
従来、フィギュア用ディスプレーがフィギュアを保持する機能のみの商品では、ディスプレー本体の組み替えが容易に出来ない、フィギュアをデコレーション出来ないという問題がある。
本発明は、以上のような欠点をなくすためになされたものである。
【課題を解決するための手段】
【０００４】フィギュア用ディスプレー本体に様々な形のデコレーションパーツ（６、７、８、９）を取り付けるためのデコレーションパーツ用ジョイント（２）を設ける。
本発明は、以上の構成よりなるデコレーションディスプレーである。
【発明の効果】
【０００５】  本発明は、以下に記載されるような効果を奏する。
フィギュア用ディスプレー本体にデコレーションパーツ（６、７、８、９）を取り付けるためのデコレーションパーツ用ジョイント（２）を設けているので、様々な形のデコレーションパーツ（６、７、８、９）を取り付けることが出来る。
【発明を実施するための最良の形態】
【０００６】  以下、本発明を実施するための最良の形態について説明する。
ディスプレー本体はプラスチックなどからなっている。ディスプレー本体は、ディスプレーパーツ（１）と、デコレーションパーツ用ジョイント（２）で構成されている。ディスプレーパーツ（１）はデコレーションパーツ用ジョイントを取り付ける為のジョイントＡ（３）が組み込まれており、用途に合わせてデコレーションパーツ用ジョイント（２）の数を調整できる。デコレーションパーツ用ジョイント（２）はパーツＡ（５）とパーツＢ（６）の２つのパーツで構成されている。これも用途に合わせてパーツＢの数を調整できる。
また、本発明は上述の実施の形態に限らず本発明の要旨を逸脱することなくその他種々の構成を採り得ることはもちろんである。
【図面の簡単な説明】
【０００７】
【図１】本発明の正面図である。
【図２】ディスプレーパーツ（１）の斜視図である。
【図３】パーツＡとパーツＢの斜視図である。
【図４】デコレーションパーツ（６、７、８、９）の正面図である。
【図５】本発明とフィギュア（１０）を組み合わせた正面図である。
【符号の説明】
【０００８】１‥‥ディスプレーパーツ、２‥‥デコレーションパーツ用ジョイント、３‥‥ジョイントＡ、４‥‥パーツＡ、５‥‥パーツＢ、６‥‥デコレーションパーツＡ、７‥‥デコレーションパーツＢ、８‥‥デコレーションパーツＣ、９‥‥デコレーションパーツＤ、１０‥‥フィギュア
【図１】
2009186951.tif 000003
【図２】
2009186951.tif 000004
【図３】
2009186951.tif 000005
【図４】
2009186951.tif 000006
【図５】
2009186951.tif 000007
(57)【要約】【課題】  トナーが固着した部分に静電潜像が形成されず、常時安定したトナー像を形成できる電子写真印刷装置の感光体清掃装置を提供する。【解決手段】  感光体表面に付着した付着物を除去するための清掃部材を備えた感光体清掃装置であって、印刷速度に応じて前記感光体と前記清掃部材の押し付け量（清掃部材の回転速度）を任意に設定可能とする。【選択図】図１
2009186855.tif 000002
【特許請求の範囲】
【請求項１】
感光体表面に付着した付着物を除去するための清掃部材を備えた感光体清掃装置であって、印刷速度に応じて前記感光体と前記清掃部材の押し付け量を設定可能としたことを特徴とする感光体清掃装置。
【請求項２】
前記押し付け量は、前記清掃部材の回転速度を変更することを特徴とする請求項１記載の感光体清掃装置。
【請求項３】
前記清掃部材に付着した付着物を除去するための吸引手段を設けたことを特徴とする請求項１または２記載の感光体清掃装置。
【発明の詳細な説明】
【技術分野】
【０００１】
本発明は電子写真式印刷装置の感光体清掃装置に関するものである。
【背景技術】
【０００２】
感光体上に書かれた静電潜像にトナーを吸着させてトナー像を形成し、前記トナー像を用紙に転写して定着させる電子写真式印刷装置において、感光体表面にトナーが転写行程にて感光体表面に転写しきれない残存トナーが発生するため、次工程での清掃機構にてその残存トナーを清掃している。清掃時には、感光体表面の残ったトナーが清掃部材の回転にて感光体表面に押し付けられ、感光体表面に固着したトナー部分に静電潜像が形成できず、その結果として用紙に正常にトナー像が形成できない不具合が発生することがある。そして、印刷時には、用紙に転写しきれないトナーが感光体表面に付着し、清掃部材の回転によりトナーを感光体表面に押し付け感光体表面に固着させてしまい、結果として固着したトナーにより感光体に正常な静電潜像が形成できず、用紙上に正常にトナー像が形成できない不具合が発生するという問題がある。
【発明の開示】
【発明が解決しようとする課題】
【０００３】
本発明は、上記問題点に鑑み、トナーが固着した部分に静電潜像が形成されず、常時安定したトナー像を形成できる電子写真印刷装置の感光体清掃装置を提供することを目的とする。
【課題を解決するための手段】
【０００４】
上記課題は、感光体表面に付着した付着物を除去するための清掃部材を備えた感光体清掃装置であって、印刷速度に応じて前記感光体と前記清掃部材の押し付け量を設定可能とすることにより達成される。
【発明の効果】
【０００５】
本発明により、感光体に付着したトナーを、感光体に押し付け固着させないため、トナーが固着した部分に静電潜像が形成できず、その結果として用紙に正常にトナー像が形成できない不具合の発生を防ぐことができる。
【発明を実施するための最良の形態】
【０００６】
以下、本発明を図１および２を用いて説明する。図１は本発明の実施形態に係る電子写真式印刷装置の一部概略構成図、図２はこれに搭載した感光体清掃装置の概略構成図、図３は電子写真式印刷装置の全体の概略構成図である。
【０００７】
図３に示すように、印刷装置２１の感光体２は矢印Ａ方向に回転駆動され、帯電器９により所定電圧に均一に帯電される。上位装置（図示せず）から送信された画像情報に基づいて露光装置５からレーザビームが照射され、レーザビームを受けた感光体２には静電潜像が形成される。この静電潜像は現像器１０で顕像化され、トナー像となる。感光体２上に形成されたトナー像は、転写器６により連続紙からなる被記録媒体１上に転写される。その後、感光体２の表面は、除電器７により表面の電荷が除去され、回転ブラシからなる清掃部材４により感光体２の表面に残留した残留トナー３が除去され、再度、帯電、露光、現像と工程が繰り返し行われる。トナー像が転写された被記録媒体１は前方に搬送され、プレヒータ２２を経て加熱ローラ２３と加圧ローラ２４により加熱、加圧作用を受けながら挟時搬送され、トナー像は被記録媒体１に定着される。定着された被記録媒体１はテンションローラ２５を通り、被記録媒体受けであるスタッカ２６へ順次排出される。
【０００８】
図１に示すように、転写器６の前後には、被記録媒体１をガイドするロアリトラクタ１２とアッパリトラクタ１１が設けられている。また、残留トナー３の除電を行う除電器であるＡＣコロトロン７とプレチャージャ８の間には清掃部材４が配置されており、吸引手段１３と連結されている。そして、感光体２の表面に残った残存トナー３を除去するため、清掃部材４を矢印Ｂ方向に回転させ吸引手段１３にて清掃している。
【０００９】
図２に示すように、清掃部材４はドライブプーリ１４、ベルト１５、モータプーリ１６、モータ１７により矢印Ｂ方向に回転駆動するように構成されている。そして、モータ制御手段１８より、印刷速度に応じてモータ１７の回転速度を制御することにより、感光体２への押し付け力を変更しトナーの固着を防止している。
【００１０】
一般に、清掃部材４の回転速度を上げることにより清掃性は向上するが、感光体１への押し付け力も上がるため感光体１へのトナーの固着が発生し易くなる。そこで、モータ１７の回転速度は、印刷速度毎に予め実験により、所望の清掃性を確保し、且つトナー固着を発生しない回転速度に決めておく。そして、印刷速度に応じてモータ制御手段１８により清掃部材４の回転速度を適宜変更することで、ドライブプーリ１４やモータプーリ１６を変更することなく、部品の共通化を図ることが可能となる。
【図面の簡単な説明】
【００１１】
【図１】本発明の実施形態に係る電子写真式印刷装置の一部概略構成図である。
【図２】感光体清掃装置の概略構成図である。
【図３】本発明の実施形態に係る電子写真式印刷装置の全体概略構成図である。
【符号の説明】
【００１２】
１は印刷用紙、２は感光体、３はトナー、４は清掃部材、５は露光装置、６は転写器、７はＡＣコロトロン、８はプレチャージャ、９は帯電器、１０は現像機、１１はアッパリトラクタ、１２はロアリトラクタ、１３は吸引手段、１４はドライブプーリ、１５はベルト、１６はモータプーリ、１７はモータ、１８はモータ制御手段、２１は印刷装置、２２はプレヒータ、２３は加熱ローラ、２４は加圧ローラ、２５はテンションローラ、２６はスタッカである。
【図１】
2009186855.tif 000003
【図２】
2009186855.tif 000004
【図３】
2009186855.tif 000005